(57)【要約】【課題】放送局における同期発生装置から発生される同期信号とテレビジョン放送番組の映像信号との位相誤差を低減する。【解決手段】ベースバンド映像信号のフレームと同期信号との位相誤差が所定値以下となる複数の時刻情報を求めて予めリセット時刻テーブル２８２に登録しておき、この登録した時刻情報と標準時計装置２８１により外部から取得した標準時刻情報とを比較器２８３により比較することでシステム同期信号発生装置２７に対するリセットタイミングを判定する。そして、リセット時刻となった時点でシステム同期信号発生装置２７の同期信号発生処理をリセットする。【選択図】　　図３
2004032630.tif 000002
【特許請求の範囲】
【請求項１】
番組編成時刻に基づき、テレビジョン放送番組のベースバンド映像信号を処理するテレビジョン放送番組処理装置に適用され、前記ベースバンド映像信号にフレーム同期させるための同期信号を発生する同期発生装置の位相校正を行なう同期位相校正装置であって、
外部から標準時刻情報を取得する標準時刻取得手段と、
外部から位相校正指示信号が入力されたとき、前記標準時刻取得手段の出力から前記ベースバンド映像信号のフレームと前記同期信号との位相誤差を求め、この位相誤差が所定値以下となるタイミングで前記同期発生装置から発生される同期信号の位相を前記ベースバンド映像信号のフレームに合わせるように制御する同期位相制御手段とを具備したことを特徴とする同期位相校正装置。
【請求項２】
前記同期位相制御手段は、
前記ベースバンド映像信号と前記同期信号との位相誤差が所定値以下となる複数の時刻情報を記憶する時刻情報記憶手段と、
前記標準時刻取得手段から出力される標準時刻情報と前記時刻情報記憶手段に記憶された時刻情報とを比較する時刻比較手段と、
外部から位相校正指示信号が入力されたとき、前記時刻比較手段の比較結果に基づいて前記同期発生装置の同期信号発生処理をリセットするリセット手段とを備えることを特徴とする請求項１記載の同期位相校正装置。
【請求項３】
前記標準時刻取得手段は、標準時刻電波を受信し、その受信信号から前記標準時刻情報を生成することを特徴とする請求項１記載の同期位相校正装置。
【請求項４】
前記標準時刻情報における閏秒の発生に応じて、前記標準時刻取得手段で得られる標準時刻情報を閏秒だけずらす時刻情報更新手段をさらに備えることを特徴とする請求項１記載の同期位相校正装置。
【請求項５】
番組編成時刻に基づき、テレビジョン放送番組のベースバンド映像信号を放送信号に変換して第１の放送サービスエリア内に送出する第１の放送局と、この第１の放送局と中継回線を介して接続され、前記第１の放送局から中継回線を介して送出されたベースバンド映像信号を受信して信号処理を加えた後、前記第１の放送サービスエリアとは異なる第２の放送サービスエリア内に放送信号として送出する第２の放送局とを備えたテレビジョン放送番組中継送出システムの前記第１及び第２の放送局にそれぞれ用いられ、前記第１及び第２の放送局間におけるベースバンド映像信号の同期処理に供されることを特徴とする請求項１記載の同期位相校正装置。
【請求項６】
番組編成時刻に基づき、テレビジョン放送番組のベースバンド映像信号を処理するテレビジョン放送番組処理装置で使用され、前記ベースバンド映像信号にフレーム同期した同期信号を発生する同期発生装置の位相校正を行なう同期位相校正方法であって、
外部から標準時刻情報を取得する第１の過程と、
外部から位相校正指示信号が入力されたとき、前記第１の過程による取得結果から前記ベースバンド映像信号のフレームと前記同期信号との位相誤差を求め、この位相誤差が所定値以下となるタイミングで前記同期発生装置から発生される同期信号の位相を前記ベースバンド映像信号のフレームに合わせるように制御する第２の過程とを具備したことを特徴とする同期位相校正方法。
【発明の詳細な説明】
【０００１】
【発明の属する技術分野】
この発明は、例えばネット受信放送として使用されるテレビジョン放送番組中継送出システムの各放送局間でベースバンド映像信号の位相を同期させる同期位相校正装置及び同期位相校正方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
このようなデジタル放送では、種々の開発が進められており、特に従来のアナログ放送で実施されているような例えば親局及び遠隔局を中継回線により結ぶネット受信放送システムの構築が一つの課題となっている。
【０００３】
また、デジタル放送にあっては、アナログ放送と同様に、映像・音声以外に画面字幕や番組に付随する各種のデータサービス、さらには遠隔局のシステム制御のための各種の番組素材情報、その他の放送制御情報を、ベースバンド映像信号の垂直ブランキング期間などにデータパケットとして多重して伝送することも求められるようになってきている。
【０００４】
ところで、遠隔局において、親局の映像同期と遠隔局の映像同期とが異なるため、フレームシンクロナイザを用いて親局の映像フレーム周期を遠隔局の映像フレーム周期に合わせる方法が用いられている。
これは、遠隔局に設置されるフレームシンクロナイザに内蔵されたフレームメモリに対し、親局から送られてくる映像の同期信号から再生されるクロックによる書き込みアドレスを発生し、このアドレスによりフレームメモリに映像信号を書き込み、一方遠隔局のシステム同期信号から再生されるクロックによる読み出しアドレスを発生し、このアドレスによりフレームメモリに書き込まれた映像信号を読み出すことにより行われる。
【０００５】
この場合、書き込みクロック周波数と読み出しクロック周波数とに僅かな差があるため、フレームメモリに対する書き込み位相と読み出し位相が徐々に変化し、数時間に１回程度の割合で、書き込み位相と読み出し位相とが追い越し、または追い越されの現象が発生する。
このとき出力画像は同じフレームを２回出力するフレームフリーズ、または１フレーム飛ばすフレームスキップが発生することになる。
【０００６】
【発明が解決しようとする課題】
上記遠隔局において、フレームスキップが発生した場合に、テレビジョン画像については、１フレーム＝３０分の１秒の一瞬の現象のため、違和感などは生じないが、垂直ブランキング期間に重畳されたデータについては、映像画面のスキップとは異なり、例えば字幕データの一部が欠落して、受信画面上で字幕表示が一部行なわれないなどの、目視にて見分けることができるような画面異常が生じることになる。
また、遠隔局において、親局の番組と自局の番組とを切り替えて放送する場合にも、テレビジョン受信機側で映像フレームの欠落やちら見えが発生し、視聴者に対し違和感を与えてしまうことになる。
【０００７】
この発明の目的は、放送局における同期発生装置から発生される同期信号とテレビジョン放送番組の映像信号との位相誤差を低減することができ、これによって例えばネット受信放送の各局周波数及び位相同期に利用可能な同期位相校正装置及び同期位相校正方法を提供することにある。
【０００８】
【課題を解決するための手段】
この発明は、上記目的を達成するために、以下のように構成される。
（１）番組編成時刻に基づき、テレビジョン放送番組のベースバンド映像信号を処理するテレビジョン放送番組処理装置に適用され、ベースバンド映像信号にフレーム同期させるための同期信号を発生する同期発生装置の位相校正を行なう同期位相校正装置を対象にしている。
【０００９】
そして、外部から標準時刻情報を取得する標準時刻取得手段と、外部から位相校正指示信号が入力されたとき、標準時刻取得手段の出力からベースバンド映像信号のフレームと同期信号との位相誤差を求め、この位相誤差が所定値以下となるタイミングで同期発生装置から発生される同期信号の位相をベースバンド映像信号のフレームに合わせるように制御する同期位相制御手段とを備えるようにしたものである。
【００１０】
（１）の発明によれば、標準時刻からベースバンド映像信号と同期発生装置から発生される同期信号との位相誤差が求められるようにし、標準時刻に応じてこの求められた位相誤差が所定値以下となるタイミングで同期発生装置から発生される同期信号の位相をベースバンド映像信号のフレームに合わせるように制御し、さらに同期発生装置に対する位相校正を位相校正指示信号が入力されたときのみ実行するようにしている。
【００１１】
従って、外部から標準時刻情報を取得するだけでベースバンド映像信号と同期信号との位相誤差が所定値以下となるタイミングで同期発生装置から発生される同期信号の位相をベースバンド映像信号のフレームに合わせるように容易に制御でき、また位相校正指示信号の入力タイミングを設定しておくだけで、放送停止時間等の運用に影響を与えない時間帯で同期位相校正を実行することができる。さらに位相誤差が所定値以下となる時刻で同期信号の位相校正を行なうようにしているので、位相一致させたタイミングで同期信号の位相校正を行なうより短い期間で位相校正を行なうことができる。
【００１２】
（２）同期発生制御手段は、ベースバンド映像信号のフレームと同期信号との位相誤差が所定値以下となる複数の時刻情報を記憶する時刻情報記憶手段と、標準時刻取得手段から出力される標準時刻情報と時刻情報記憶手段に記憶された時刻情報とを比較する時刻比較手段と、外部から位相校正指示信号が入力されたとき、時刻比較手段の比較結果に基づいて同期発生装置の同期信号発生処理をリセットするリセット手段とを備えるようにしている。
【００１３】
（２）の発明によれば、ベースバンド映像信号のフレームと同期信号との位相誤差が所定値以下となる複数の時刻情報を求めて予め登録しておき、この登録した時刻情報と外部から取得した標準時刻情報とを比較することで同期発生装置に対するリセット時刻が判定される。そして、リセット時刻となった時点で同期発生装置の同期信号発生処理がリセットされる。従って、標準時刻がベースバンド映像信号のフレームと同期信号との位相誤差が所定値以下となる理想の時刻を計時するごとに同期信号の位相校正を行なうことができ、これにより常に一定の位相でベースバンド映像信号と同期信号とをフレーム同期させることができる。
【００１４】
（３）標準時刻情報における閏秒の発生に応じて、標準時刻取得手段により得られる標準時刻情報を閏秒だけずらす時刻情報更新手段をさらに備えるようにしている。
（３）の発明によれば、閏秒が発生しても、その閏秒だけ標準時刻情報をずらすだけでよいので、時刻の再設定を行なう必要がなく、簡単な操作で対応でき、また時刻情報記憶手段に記憶された複数の時刻情報をそのまま使用できる。
【００１５】
（４）番組編成時刻に基づき、ベースバンド映像信号を圧縮符号化したデジタル放送信号を第１の放送サービスエリア内に送出する第１の放送局と、この第１の放送局と中継回線を介して接続され、第１の放送局から中継回線を介して送出されたベースバンド映像信号を受信して信号処理を加えた後、第１の放送サービスエリアとは異なる第２の放送サービスエリア内にデジタル放送信号として送出する第２の放送局とを備えたテレビジョン放送番組中継送出システムの前記第１及び第２の放送局にそれぞれ用いられ、第１及び第２の放送局間におけるベースバンド映像信号の同期処理に供されることを特徴とする。
（４）の発明によれば、外部から取得した共通の標準時刻情報を使用して第１及び第２の放送局間でベースバンド映像信号のフレーム位相を精度良く同期させることができ、これによりフレームスキップの発生及び番組切替時のフレーム欠落やちら見え等の発生を低減できる。
【００１６】
【発明の実施の形態】
以下、この発明の実施形態について図面を参照して詳細に説明する。
図１はこの発明に係る同期位相校正装置が適用されるテレビジョン放送番組中継送出システムを示す概略構成図である。
【００１７】
図１において、符号１０は第１の放送局としての親局、符号２０は第２の放送局としての遠隔局を示している。親局１０は、テレビジョン放送信号をアンテナ１１から自局が属する放送サービスエリアに向けて送出する。また、親局１０には、放送中継ネットワークＮＷを介して遠隔局２０が接続される。遠隔局２０は、親局１０から放送中継ネットワークＮＷを介して伝送された中継番組情報と自局の番組情報とをＴＳに変換し、このＴＳをアンテナ２１から自局が属する放送サービスエリアに向けて送出する。
【００１８】
この親局１０は、番組制作装置１２と、放送送信装置１３と、番組中継送信装置１４と、システム同期信号発生装置１５と、同期位相校正装置１６とを備えている。番組制作装置１２は、システム同期信号発生装置１５から発生される同期信号に基づいて、放送すべきテレビジョン放送番組を制作し、このテレビジョン放送番組情報信号を放送送信装置１３及び番組中継送信装置１４に出力する。放送送信装置１３は、番組情報信号をテレビジョン放送信号に変換し、このテレビジョン放送信号をアンテナ１１から放送する。番組中継送信装置１４は、番組情報信号を放送中継ネットワークＮＷを介して遠隔局２０に伝送する。
【００１９】
同期位相校正装置１６は、システム同期信号発生装置１５の位相校正を行なう。
遠隔局２０は、番組中継受信装置２２と、フレームシンクロナイザ（ＦＳ）２３と、番組切替装置２４と、放送送信装置２５と、番組制作装置２６と、システム同期信号発生装置２７と、同期位相校正装置２８とを備えている。
【００２０】
番組中継受信装置２２は、親局１０から放送中継ネットワークＮＷを介して到来した番組情報信号を受信し、この受信信号のうちの映像信号をフレームシンクロナイザ２３に出力する。フレームシンクロナイザ２３は、入力された映像信号をシステム同期信号発生装置２７から発生される同期信号に同期した映像信号に変換し、この映像信号を番組切替装置２４に出力する。
【００２１】
番組切替装置２４は、フレームシンクロナイザ２３の出力及び番組制作装置２６の出力のうちいずれか一方を放送送信装置２５に導出する。放送送信装置２５は、入力された番組情報信号をテレビジョン放送信号に変換し、このテレビジョン放送信号をアンテナ２１から放送する。
番組制作装置２６は、システム同期信号発生装置２７から発生される同期信号に基づいて、放送すべきテレビジョン放送番組を制作する。また、システム同期信号発生装置２７は、同期位相校正装置２８により位相校正が行なわれる。
【００２２】
図２は、上記フレームシンクロナイザ２３の具体的構成を示すブロック図である。
このフレームシンクロナイザ２３は、同図に示すように、入力映像同期再生部２３１と、書き込み部２３２と、書き込みアドレス発生部２３３と、フレームメモリ２３４と、読み出しアドレス発生部２３５と、読み出し部２３６とを備えている。
【００２３】
まず、親局１０から放送中継ネットワークＮＷを介して到来した映像信号は、入力映像同期再生部２３１及び書き込み部２３２に入力される。
入力映像同期再生部２３１は、入力された映像信号に同期した同期信号を再生し、書き込みアドレス発生部２３３に出力する。書き込みアドレス発生部２３３は、入力された同期信号に同期して書き込みアドレスを発生する。
【００２４】
書き込み部２３２は、書き込みアドレス発生部２３３により発生される書き込みアドレスに基づいて映像信号をフレームメモリ２３４に順次書き込む。
読み出しアドレス発生部２３５は、システム同期信号発生装置２７から発生される同期信号に同期して読み出しアドレスを発生する。
【００２５】
読み出し部２３６は、読み出しアドレス発生部２３５により発生される読み出しアドレスに基づいて、フレームメモリ２３４に書き込まれた映像信号を順次読み出す。
ここで、フレームメモリ２３４に書き込まれる映像信号とシステム同期信号発生装置２７から発生される同期信号との位相誤差により、フレームメモリ２３４における書き込みアドレスが読み出しアドレスを追い越すというフレームスキップが発生することがある。また、番組切替装置２４における番組切替時に、フレーム欠落やちら見え等が発生することがある。
【００２６】
図３は、上記の問題を解決する、本発明に係る同期位相校正装置１６，２８の構成を示すブロック図である。ここでは、同期位相校正装置２８を代表して説明する。
同期位相校正装置２８は、標準時計装置２８１と、リセット時刻テーブル２８２と、比較器２８３と、ゲート制御回路２８４と、スイッチ２８５と、校正用同期信号発生器２８６と、スイッチ２８７，２８８とを備えている。
【００２７】
標準時計装置２８１は、我が国の電波研究所から放射される標準時刻電波を受信し、その受信信号から標準時刻情報を生成する。この標準時刻情報は、スイッチ２８８を介して比較器２８３に供給される。比較器２８３は、入力された標準時刻情報とリセット時刻テーブル２８２に記憶された時刻情報とを比較する。
【００２８】
このリセット時刻テーブル２８２には、図４に示すごとく、元旦を基準とした時刻ごとのフレーム位相誤差が記憶されており、このうちフレーム位相誤差が０．０３以下のものに対してはフラグ（図４中では四角の枠で示す）が設定される。
すなわち、比較器２８３は標準時刻情報とリセット時刻テーブル２８２中の時刻情報とを比較し、フレーム位相誤差が０．０３以下に対応する時刻と一致した場合に、その一致信号をゲート制御回路２８４に出力する。すると、ゲート制御回路２８４は、スイッチ２８５をオンに設定し、標準時計装置２８１からの秒パルスを校正用同期信号発生器２８６に出力させる。
校正用同期信号発生器２８６は、秒パルスが入力されると、システム同期信号発生装置２７の同期信号発生処理をリセットする。なお、このリセット処理は、外部からシステム同期制御信号がスイッチ２８７に入力されたときのみ実行される。
【００２９】
上記リセット時刻テーブル２８２は、次のように生成される。
まず、日本標準時、あるいは必要と精度で時刻共有が可能なその他の標準時におけるある時刻原点を定義する。例えば２００Ｘ年１月１日０時００分００秒を時刻原点として、その時刻を映像フレーム同期信号のフレーム先頭位相に対応させる。その同期時刻原点以降の各時刻点における映像フレーム同期信号の位相を、共通規定の定める同期信号周波数と寸分の誤差もない理想的同期信号発生器を想定して予測計算し、テーブルを作成する。
【００３０】
テレビジョン放送局では、電波法によるカラー映像信号規格により、映像同期信号はＮＴＳＣコンポジット映像の色副搬送波である３５７９５４５Ｈｚのクロックをもとに規定されている。通常は映像同期信号発生器の原振クロックとして３５７９５４５Ｈｚの４倍のクロックが用いられる。
【００３１】
これらによれば、映像フレーム同期時間は、
（２３８８７５／２）÷３５７９５４５（秒）
（２３８８７５／２）＝１フレームに含まれる色副搬送波クロック
１ライン＝４５５／２色副搬送波クロック
１フレーム＝５２５ライン＝５２５×４５５／２
＝２３８８７５／２
この式から計算すると、映像フレーム周期は、秒クロック周期とは簡単な整数比ではなく、１３時間１６分１５秒の長い周期で両者の位相が一致する。
上記同期時刻原点を定めた場合にも、親局１０、遠隔局２０それぞれのシステム同期信号発生装置１５，２７をリセットする機会はこのような長い周期でしか訪れず、放送局運用上の便宜に欠ける。
【００３２】
そこで、本実施形態では、任意の時刻において、理想的同期信号発生器のあるべき映像フレーム位相と、時刻原点での映像フレーム位相との誤差がある一定値（０．０３）以下であるか否かを判定し、ある一定値以下である場合に、その時刻において時刻原点（元旦）であるべきフレーム位相になるようにシステム同期信号発生装置１５，２７をリセットする。
同期原点時刻方式においては、任意時刻における映像フレーム同期信号の位相を予め計算することができる。
原点時刻後のＹ秒後のフレーム数Ｐは次のようになる。
Ｐ＝３５７９５４５÷（２３８８７５／２）×Ｙ　（フレーム）
この場合の秒パルスとのずれ量は、上記計算値の小数部分となる。値は０〜０．９９…である。ずれを、「０＝位相一致」を中心に「±」値で示すと、
ΔＰ＝Ｐ−Ｒｏｕｎｄ
Ｒｏｕｎｄは丸め関数（四捨五入）を示す。
【００３３】
これが秒パルスに対する位相ずれを示すフレーム位相となる。この数値を原点時刻のあと１分おきに計算した結果を図４に示す。なお、図４中網掛け部分は、ΔＰが０．０３以下を示し、リセット候補タイムである。
位相ずれが０．０３フレームとは、０．０３×３３ｍＳ＝１ｍＳに相当するが、これはフレームスキップを防止するための同期結合に対して充分小さい誤差である。例えば位相誤差０．０３以下の時刻で、システム同期信号発生装置１５，２７をリセットすれば、時計校正の誤差に合わせて２ｍＳの同期位相誤差の範囲で、親局１０と遠隔局２０との互いの同期位相を一致させることが可能となる。
【００３４】
このようにすれば、通常は５分おき、間隔があいても９０分位でリセットの機会が訪れる。上記説明では１分おきを例に説明したが、もっとピッチをつめて計算すれば機会はさらに増える。なお、上記演算は現在時刻のみを変数とする簡素な数式であり、リアルタイムで実行可能である。
【００３５】
また、放送の運用中においてシステム同期信号発生装置１５，２７をリセットすることは、テレビジョン受信画像に一時的に画面ショックを与える可能性がある。そこで、本実施形態では、テレビジョン番組の運用スケジュール上で適当とされる時刻、つまり深夜の番組の切れ目や休止時間帯などでスイッチ２８７をオンに設定し、システム同期信号発生装置２７と校正用同期信号発生器２８６とを接続して、校正用同期信号発生器２８６にシステム同期信号発生装置２７の校正を行なわせるようにしている。
【００３６】
また、本実施形態では、閏秒が発生した場合に、各局の標準時計装置２８１には端末２８９によって閏秒数だけ遅らせる操作が行なわれる。当初の時刻原点が２００Ｘ年１月１日０時００分００秒であり、その後に閏秒が１秒発生すれば、新しい時刻原点は１２月３１日２３時５９分５９秒となる。すなわち、Ｙの数値として、今までの時刻原点からの秒数Ｙ１に閏秒数加えた数値を使用すればよい。したがって、リセット時刻テーブル２８２はそのまま使用できる。
また、時刻原点をずらす操作は、閏秒の発生後、初めての校正リセットの際に実行すればよいので時間的余裕もある。
【００３７】
以上のように上記実施形態における同期位相校正装置２８では、ベースバンド映像信号のフレームと同期信号との位相誤差が所定値以下となる複数の時刻情報を求めて予めリセット時刻テーブル２８２に登録しておき、この登録した時刻情報と標準時計装置２８１により外部から取得した標準時刻情報とを比較器２８３により比較することでシステム同期信号発生装置２７に対するリセット時刻を判定する。そして、リセット時刻となった時点でシステム同期信号発生装置２７の同期信号発生処理がリセットされる。
従って、標準時計装置２８１がベースバンド映像信号のフレームと同期信号との位相誤差が所定値以下となる理想の時刻を計時するごとに同期信号の位相校正を行なうことができ、これにより常に一定の位相でベースバンド映像信号と同期信号とをフレーム同期させることができる。
【００３８】
また、システム同期信号発生装置２７に対する位相校正処理がシステム同期結合制御信号がスイッチ２８７に入力されたときのみ実行されるので、放送停止時間等の運用に影響を与えない時間帯で同期位相校正を実行することができる。さらに位相誤差が所定値以下となる時刻（５分ごと）でシステム同期信号発生装置２７に対する同期信号の位相校正を行なうようにしているので、位相一致させたタイミング（約１３時間）で同期信号の位相校正を行なうより短い期間で位相校正を行なうことができる。
【００３９】
また、上記実施形態によれば、閏秒が発生しても、その閏秒だけ標準時計装置２８１で得られる標準時刻情報を端末２８９を使用してずらすだけでよいので、時刻の再設定を行なう必要がなく、簡単な操作で対応でき、またリセット時刻テーブル２８２をそのまま使用できる。
また、上記構成による同期位相校正装置１６，２８を親局１０及び遠隔局２０に用いることにより、外部から取得した共通の標準時刻情報を使用して親局１０及び遠隔局２０相互間で映像信号のフレーム位相を精度良く同期させることができ、これにより遠隔局２０におけるフレームスキップの発生及び番組差し替え時のフレーム欠落やちら見え等の発生を低減できる。
【００４０】
なお、この発明は上記実施形態に限定されるものではない。例えば、上記実施形態では、リセット時刻テーブル２８２を用いる例について説明した。しかしこれに限ることなく、標準時計装置２８１により得られた標準時刻情報から予め決められた計算式により位相誤差が所定値以下となるか否かを判定して、この判定結果に基づいてシステム同期信号発生装置１５，２７に対しリセットをかけるようにしてもよい。このようにすれば、外部から標準時刻情報を取得するだけでベースバンド映像信号と同期信号との位相誤差が所定値以下となるタイミングでシステム同期信号発生装置１５，２７から発生される同期信号の位相をベースバンド映像信号のフレームに合わせるように容易に制御できる。
また、同期位相校正における原振周波数は、ＮＴＳＣコンポジット映像に対応する色副搬送波周波数３５７９５４５Ｈｚだけでなく、コンポーネント映像に対応するサンプリング周波数１３５０００００Ｈｚなど、あらゆる映像信号同期に対し適用が可能である。
【００４１】
また、上記実施形態では、同期位相校正装置２８を、比較器２８３、ゲート制御回路２８４、スイッチ２８５、校正用同期信号発生器２８６、スイッチ２８７，２８８によるハードウェア構成としたが、図５に示すごとく、これら比較器２８３、ゲート制御回路２８４、スイッチ２８５、校正用同期信号発生器２８６、スイッチ２８７，２８８をマイクロコンピュータとしての信号処理装置２９０のソフトウェアにより実現することもできる。なお、図５において、メモリ２９１には、上記リセット生成テーブル２８２と同一の記憶内容が記憶されている。
【００４２】
信号処理部２９０は、図６に示すような制御処理を開始し、標準時計装置２８１から標準時刻情報を取得する（ステップＳＴ６ａ）。続いて、信号処理部２９０は、取得した標準時刻情報とメモリ２９１に記憶された時刻情報と比較し（ステップＳＴ６ｂ）、映像信号と同期信号との位相誤差が所定値（０．０３）以下の時刻になったか否かの判断を行なう（ステップＳＴ６ｃ）。
【００４３】
ここで、リセット時刻になったならば（Ｙｅｓ）、信号処理部２９０はシステム同期結合制御信号が入力されたか否かの確認を行ない（ステップＳＴ６ｄ）、システム同期結合制御信号の入力が確認されたならば（Ｙｅｓ）、システム同期信号発生装置２７に対しリセットをかける（ステップＳＴ６ｅ）。なお、上記ステップＳＴ６ｄにおいて、システム同期結合制御信号の入力が確認されない場合（Ｎｏ）、信号処理部２９０は上記ステップＳＴ６ａ乃至ステップＳＴ６ｄの処理を繰り返し実行する。
【００４４】
以上のように上記他の実施形態によってもこの発明を実施することができる。特に、各処理がソフトウェアにより実現できるので、構成が簡単になり、装置の小型化に寄与することができる。
その他、システム構成、親局及び遠隔局内の構成、同期位相校正装置の構成、同期位相校正手順等についても、この発明の要旨を逸脱しない範囲で種々変形して実施できる。
【００４５】
【発明の効果】
以上詳述したようにこの発明によれば、放送局における同期発生装置から発生される同期信号とテレビジョン放送番組の映像信号との位相誤差を低減することができ、これによって例えばネット受信放送の各局周波数及び位相同期に利用可能な同期位相校正装置及び同期位相校正方法を提供することができる。
【図面の簡単な説明】
【図１】この発明を適用したテレビジョン放送番組中継送出システムを示す概略構成図。
【図２】図１に示したフレームシンクロナイザの構成を示すブロック図。
【図３】この発明の実施形態に係る同期位相校正装置の構成を示すブロック図。
【図４】図３に示したリセット時刻テーブルの記憶内容の一例を示す図。
【図５】この発明の他の実施形態に係わる同期位相校正装置を示すブロック図。
【図６】図５に示した信号処理部の動作を説明するために示すフローチャート。
【符号の説明】
１０…親局、
１２，２６…番組制作装置、
１３…放送送信装置、
１４…番組中継送信装置、
１５，２７…システム同期信号発生装置、
１６，２８…同期位相校正装置
２０…遠隔局、
２２…番組中継受信装置、
２３…フレームシンクロナイザ、
２４…番組切替装置、
２８１…標準時計装置、
２８２…リセット時刻テーブル、
２８３…比較器、
２８４…ゲート制御回路、
２８５，２８７，２８８…スイッチ、
２８６…校正用同期信号発生器、
２８９…端末、
２９０…信号処理部、
ＮＷ…放送中継ネットワーク。
【図１】
2004032630.tif 000003
【図２】
2004032630.tif 000004
【図３】
2004032630.tif 000005
【図４】
2004032630.tif 000006
【図５】
2004032630.tif 000007
【図６】
2004032630.tif 000008